(57)【要約】【課題】  球振分装置を構成する球搬送部材によって搬送されて放出される際の状況により、遊技球が特定球通過領域に誘導される球誘導確率を変化させて、遊技に対する興趣を高めることである。【解決手段】  ベース板２５に、略円板形状の第１及び第２の各回転体Ｋa,Ｋb を、それぞれ反対方向に回転可能にして配設すると共に、第２回転体Ｋｂを第１回転体Ｋａに対して接近・離隔可能にし、各回転体Ｋa,Ｋb のリング状部分３１a,３１b に複数個の球収容突起体Ｔａ〜Ｔｊを取付けて各球収容領域Ｒab〜Ｒfa，Ｒgh〜Ｒjgを設け、第１回転体Ｋａの回転周期と第２回転体Ｋｂの往復スライド周期とを同期させることによって、前記いずれかの球収容領域Ｒab〜Ｒfa，Ｒgh〜Ｒjgに搬送されて放出される遊技球Ｂが、特定入賞口１１に誘導される球誘導確率を変化させる。【選択図】        図３
2006014911.tif 000002
【特許請求の範囲】
【請求項１】
球入口と、該球入口から入った遊技球が通過すると特定遊技となる特典が遊技者に与えられる特定球通過領域と、前記球入口から入った遊技球が通過しても特定遊技となる特典が与えられない一般球通過領域と、前記球入口から入った遊技球を特定球通過領域又は一般球通過領域のいずれかに誘導して振り分ける球振分装置とを有する入賞装置を備えた遊技機であって、
前記球振分装置は、球放出部における横方向の相対距離が変化するように構成されていることを特徴とする遊技機。
【発明の詳細な説明】
【技術分野】
【０００１】
本発明は、入賞装置の球入口から入った遊技球を、特定球通過領域又は一般球通過領域のいずれかに誘導して振り分ける球振分装置を備えた遊技機に関するものである。
【背景技術】
【０００２】
本明細書では、遊技機の一例であるパチンコ機について説明する。第２種パチンコ機における遊技盤面のほぼ中央部には、センター役物装置が配設されている。遊技者により遊技領域に打たれ、球入口からセンター役物装置内に進入した球（遊技球）は、センター役物装置内に配設された球振分装置によって振り分けられ、一定の確率でもって特定入賞口に誘導される。前記球振分装置には、各種の技術が開示されている（例えば、特許文献１，２を参照）。
【０００３】
従来の球振分装置の場合、センター役物装置内に進入した遊技球を、球振分装置の下流側に設けられた特定入賞口に搬送させるという機能を有している。換言すれば、センター役物装置内に進入した遊技球は、球振分装置による搬送方向によってのみ特定入賞口に入賞するか否かが決まってしまい、球振分装置から放出された後の経路には関係ない。
【特許文献１】特開２００３−２６０２０９号公報
【特許文献２】実開昭６２−１９７３８５号公報
【発明の開示】
【発明が解決しようとする課題】
【０００４】
本発明は、球振分装置に球搬送機能だけでなく球誘導機能をも併せ持たせることにより、球搬送部材から放出された遊技球が特定球通過領域に誘導される球誘導確率を変化させて、遊技の興趣を高めることを課題としている。
【課題を解決するための手段】
【０００５】
上記課題を解決するための第１解決手段は、球入口と、該球入口から入った遊技球が通過すると特定遊技となる特典が遊技者に与えられる特定球通過領域と、前記球入口から入った遊技球が通過しても特定遊技となる特典が与えられない一般球通過領域と、前記球入口から入った遊技球を特定球通過領域又は一般球通過領域のいずれかに誘導して振り分ける球振分装置とを有する入賞装置を備えた遊技機であって、前記球振分装置は、球放出部における横方向の相対距離が変化する一対の球搬送部材で構成され、前記一対の球搬送部材どうしの相対距離が短い状態で、各球搬送部材から遊技球が放出される際には、双方の球搬送部材間に形成される球通路が狭くなることによって、放出された遊技球が特定球通過領域に誘導される球誘導確率が高められ、前記一対の球搬送部材どうしの相対距離が長い状態で、各球搬送部材から遊技球が放出される際には、双方の球搬送部材間に形成される球通路が広くなることによって、放出された遊技球が特定球通過領域に誘導される球誘導確率が低くなるように構成したことを特徴としている。
【０００６】
第１解決手段によれば、入賞装置に入った遊技球は、球振分装置を構成するいずれかの球搬送部材によって搬送されて放出され、下流側に設けられている特定球通過領域又は一般球通過領域に向かう。各球搬送部材どうしの相対距離が短い場合、球搬送部材どうしの間に形成される球通路が狭くなり、一方の球搬送部材から放出された遊技球は、他方の球搬送部材により放出経路を変更させられて、特定球通過領域に誘導される確率が高くなる。また、各球搬送部材どうしの相対距離が長い場合、前記球通路が広くなる、いずれかの球搬送部材から放出された遊技球が、特定球通過領域に誘導される確率は低い。即ち、各球搬送部材が、遊技球を搬送する機能（球搬送機能）と球を特定球通過領域に誘導する機能（球誘導機能）とを有していて、一対の球搬送部材が協働することにより遊技球の経路が変更させられて、特定球通過領域に誘導される確率（球誘導確率）が変化する形態である。換言すれば、各球搬送部材から放出された遊技球が特定球通過領域に誘導される確率を、各球搬送部材どうしの相対距離に応じて変化させることができる。この結果、遊技球が入賞装置に入ることによって遊技者に生じた期待感は、該遊技球が一対の球搬送部材によってどのように搬送されるのかだけでなく、どのように誘導されるのかによっても変化し、遊技の興趣が高められる。
【０００７】
また、第２解決手段は、第１解決手段において、前記一対の球搬送部材は回転体で構成されて、少なくとも一方はスライドする構成であることを特徴としている。第２解決手段によれば、一対の球搬送部材が、回転運動とスライド運動の異なる種類の運動を行うように組み合せられているため、遊技球の搬送経路及び落下経路に変化を生じさせることができ、遊技の興趣が更に高められる。
【０００８】
また、第３解決手段は、第２の解決手段において、一方の回転体のみがスライドして、一方の回転体のスライドと、他方の回転体の回転とが同期していることを特徴としている。第３解決手段によれば、スライドしない回転体に対して遊技球が収容された周方向によって、特定球通過領域に対する球誘導確率が変化するので、遊技者は、スライドしない回転体に対して遊技球が収容された位置によって、予め、球誘導確率がわかる。
【０００９】
また、第４解決手段は、第１ないし３のいずれかの解決手段において、前記一対の球搬送部材は、各球載置面に遊技球を載置して搬送するものであり、球放出部の床面に対する球載置面の高さが異なっていることを特徴としている。第４解決手段によれば、各球搬送部材から同時に球が放出された場合であっても、各球搬送部材の球放出部の高さが異なっていて各球が落下するタイミングがずれるため、球噛みを生ずるおそれが少ない。
【発明の効果】
【００１０】
本発明によれば、一対の球搬送部材が、球搬送機能と球誘導機能の両方を併せ持っていて、前記一対の球搬送部材を相対的に接近・離隔させることにより、遊技球が特定球通過領域に誘導される球誘導確率を変化させることができる。この結果、入賞装置に入った遊技球が搬送されるときと、該遊技球が誘導されるときの両方の場合において遊技者に異なる期待感を持たせることができ、遊技の興趣が高められる。
【発明を実施するための最良の形態】
【００１１】
以下、本発明を実施するための最良の形態を挙げて、本発明を更に詳細に説明する。図１は本発明に係るセンター入賞装置Ｆを備えた第２種パチンコ機の遊技盤１の部分の正面図、図２は図１のＸ−Ｘ線断面図、図３は球振分装置Ａの斜視図、図４は同じく平面図、図５は図４のＹ−Ｙ線断面図である。
【００１２】
最初に、本実施例のパチンコ機について説明する。図１に示されるように、パチンコ機の遊技盤１の前面に形成された遊技領域２の中央部には、センター入賞装置Ｆが、遊技盤１よりも奥側に入り込んだ状態で配置され、装置枠体３の内部に、本発明に係る球振分装置Ａが配置されている。センター入賞装置Ｆの周囲を取り囲む装置枠体３の上部には、遊技領域２の左右対称線に対して対称位置に、球振分装置Ａ内に遊技球Ｂを入れる（取り込む）ための左右の一対の羽根部材４が回動可能に設けられ、図２で示されるように、各羽根部材４が開いた状態で球入口５が形成されると共に、各羽根部材４が閉じられることにより、前記球入口５が閉じられる構成となっている。遊技領域２の下部には、該遊技領域２の左右対称線上、及び該左右対称線に対して対称位置に計３個の始動入賞口６と２個の一般入賞口７が配置されている。中央の連続した３個の始動入賞口６のうち、中央の始動入賞口６に遊技球Ｂが入賞すると、前記一対の羽根部材４が開閉動作を例えば２回行うようになっていると共に、両端の始動入賞口６に遊技球Ｂが入賞すると、前記一対の羽根部材４が開閉動作を例えば１回行うようになっている。また、前記装置枠体３の高さ方向の中央部の両側には、一対の一般入賞口８が配置されている。一対の一般入賞口８の直下位置、及び一対の羽根部材４の斜上方には、それぞれ風車９が配置されている。また、遊技盤１における球振分装置Ａの直下には、入賞により遊技者に特典を与える特定入賞口１１と、該特定入賞口１１の両側に配置された一般入賞口１２とが設けられている。センター入賞装置Ｆは、球入口５、球振分装置Ａ、特定入賞口１１等により構成される。なお、図１において、１３は、遊技領域２に放たれた遊技球Ｂのうち、いずれの球入口５及び各入賞口６〜８に入らなかったアウト球を回収するアウト口である。
【００１３】
また、前記装置枠体３の内部には、仕切板部１４を介して下室１５と、該下室１５よりも小さな上室１６とに上下方向に区分されて、遊技盤１における上室１６の外側に、前記一対の球入口５が奥側に向けて形成されている。各球入口５に流入した遊技球Ｂは、球通路（図示せず）を通って、左右両側のいずれかの球出口１７から流出されて、上室１６に収容される構成となっている。装置枠体３の仕切板部１４は、左右方向（横方向）及び前後方向（奥行方向）の双方において中央部が最も低くなるように形成され、仕切板部１４の中央部の最も低い部分には、球落下口１８が形成されている。球落下口１８の形成位置は、特定入賞口１１のほぼ直上である。なお、図２において、１９はパチンコ機の前面のガラス扉のガラス板であり、２１は前記上室１６の前面を覆っている装飾板である。
【００１４】
前記球落下口１８に流入した遊技球Ｂは、球誘導管Ｕを通って、下室１５に配設された球振分装置Ａに誘導される。球誘導管Ｕは、仕切板部１４の直下に略水平となって配置された第１球誘導管部２２と、該第１球誘導管部２２の右端側に連結されて、当該部分まで誘導された遊技球Ｂを更に下方に誘導する第２球誘導管部２３と、前記第１球誘導管部２２の左端側に連結されて、当該部分まで誘導された遊技球Ｂを更に下方に誘導する第３球誘導管部２４とで構成される。球入口５から直下の第１球誘導管部２２の長手方向の中央部に落下した遊技球Ｂは、左右のいずれかの方向に転動することにより、第２又は第３のいずれかの球誘導管部２３，２４の上端部分に達した後に、当該部分において誘導方向を下方に変更されて、更に誘導される。
【００１５】
次に、球振分装置Ａについて詳細に説明する。図１に示されるように、装置枠体３の下室１５には、球振分装置Ａが配設されている。本実施例の球振分装置Ａは、手前側（遊技者側）に少し下傾させて取付けられた略方形板状のベース板２５の上面に一対の球搬送部材（第１及び第２の各回転体Ｋa,Ｋb ）が配設されている。前記ベース板２５の奥部には、各回転体Ｋa,Ｋb に収容されて搬送される遊技球Ｂをガイドするためのガイド壁２６が、各回転体Ｋa,Ｋb の外周縁にほぼ沿って設けられている。また、ベース板２５の手前部で、特定入賞口１１の直上の部分には、各回転体Ｋa,Ｋb から放出された遊技球Ｂを前記特定入賞口１１に誘導するための一対のガイド板２７が立設されている。
【００１６】
各回転体Ｋa,Ｋb について説明する。ここで、第１回転体Ｋａを構成する部材には符号に添字「ａ」を付すと共に、第２回転体Ｋｂを構成する部材には符号に添字「ｂ」を付し、共通の機能を有する部材については、第１回転体Ｋａにおいてのみ説明して、第２回転体Ｋｂでの説明を省略する。図３ないし図５に示されるように、第１回転体Ｋａは、断面視において略円錐台形状の下側円板体２８ａの上面に、前記下側円板体２８ａよりも小径の上側円板体２９ａが、軸心Ｃａを同一にして取付けられている。そして、下側円板体２８ａの上面部で、上側円板体２９ａの取付部分を除いたリング状部分３１ａ（球載置面）には、周方向に所定の間隔をおいて６個の球収容突起体Ｔａ〜Ｔｆが、時計回りの方向に放射状に取付けられている。各球収容突起体Ｔａ〜Ｔｆの長さは、前記リング状部分３１ａにおける半径方向の長さとほぼ同一であり、その高さは、遊技球Ｂの外径よりも少し低い。これにより、前記上側円板体２９ａのリング状部分３１ａには、各球収容突起体Ｔａ〜Ｔｆどうしの間に、遊技球Ｂを載置して収容させるための６個の球収容領域Ｒab〜Ｒfaが形成されている。なお、図３において、３２ａは、上側円板体２９ａの上部に取付けられた装飾用の半球体であり、Ｌは、水平線である。
【００１７】
前記ガイド壁２６の右端の上方には、球入口５に流入した遊技球Ｂを第１回転体Ｋａのいずれかの球収容領域Ｒab〜Ｒfaに落下させるための球流下樋３３ａが、第２球誘導管部２３の下端部と接続して設けられている。前記球流下樋３３ａの下流側の端部は、第１回転体Ｋａにおけるリング状部分３１ａの直上に配置されている。第２球誘導管部２３に誘導された遊技球Ｂは、球流下樋３３ａに落下し、そのまま転動して第１回転体Ｋａのいずれかの球収容領域Ｒab〜Ｒfaに落下収容される。
【００１８】
図５に示されるように、第１回転体Ｋａを構成する下側円板体２８ａの軸心Ｃａの部分には、支点軸３４ａが垂下されていて、該支点軸３４ａは、ベース板２５に装着された軸受３５ａに支承されている。これにより、第１回転体Ｋａは、軸心Ｃａを中心に回転自在である。また、前記支点軸３４ａの下端部には、歯車３６ａが装着されていて、前記歯車３６ａは、ベース板２５の底面部に取付けられた制御モータ３７ａのモータ軸に装着されたモータ歯車３８ａと噛合されている。制御モータ３７ａを作動させることにより、第１回転体Ｋａを反時計回りの方向に一定速度で回転させることができる。
【００１９】
第１回転体Ｋａの球収容領域Ｒab〜Ｒfaについて説明する。図４に示されるように、６個の球収容突起体Ｔａ〜Ｔｆのうち、３個の球収容突起体Ｔa,Ｔc,Ｔe は、第１回転体Ｋａのリング状部分３１ａの上面に、周方向に同一の角度をおいて配置されている。このため、第１回転体Ｋａにおいて、各球収容突起体Ｔa,Ｔc,Ｔe どうしが成す角度αは１２０°である。そして、残りの３個の球収容突起体Ｔb,Ｔd,Ｔf は、前記３個の球収容突起体Ｔa,Ｔc,Ｔe から、時計回りの方向に所定の角度βだけ離れた位置に取付けられている。この結果、各球収容領域Ｒab，Ｒcd，Ｒefの大きさは同一であり、また、各球収容領域Ｒbc，Ｒde，Ｒfaの大きさは同一である。本実施例の第１回転体Ｋａの場合、球収容領域Ｒabの形成角度βは、球収容領域Ｒbcの形成角度（α−β）よりも小さい。即ち、球収容領域Ｒabは、隣接する球収容領域Ｒbcよりも狭くなっている。
【００２０】
次に、第２回転体Ｋｂについて、第１回転体Ｋａと異なる部分について説明する。図３及び図４に示されるように、第２回転体Ｋｂの上下の各円板体２８b,２９b の外径は、第１回転体Ｋａの各円板体２８a,２９a よりも少し小さい。そして、第１回転体Ｋａと同様にして、第２回転体Ｋｂのリング状部分３１ｂには、４個の球収容突起体Ｔｇ〜Ｔｊが周方向に同一の角度γ（９０°）をおいて、半径方向に沿って取付けられている。これにより、隣接する２個の球収容突起体Ｔｇ〜Ｔｊによって形成される各球収容領域Ｒgh〜Ｒjgの大きさは同一である。
【００２１】
図５に示されるように、第２回転体Ｋｂの下側円板体２８ｂにおけるベース板２５の上面からの高さＨｂは、第１回転体Ｋａの下側円板体２８ａにおけるベース板２５の上面からの高さＨａよりも少し高い。また、第２回転体Ｋｂの上側円板体２９ｂにおけるリング状部分３１ｂの傾斜角度θｂは、第１回転体Ｋａの上側円板体２９ａにおけるリング状部分３１ａの傾斜角度θａよりも少し小さい。後述するように、各回転体Ｋa,Ｋb における球収容領域Ｒab〜Ｒfa又はＲgh〜Ｒjgに収容された遊技球Ｂは、各回転体Ｋa,Ｋb が球放出位置Ｐa'，Ｐb'に配置されたときに各回転体Ｋa,Ｋb から放出されるのであるが、上記した各下側円板体２８a,２８b の高さＨa,Ｈb と傾斜角度θa,θb の違いにより、各回転体Ｋa,Ｋb から遊技球Ｂが同時に放出された場合であっても、遊技球Ｂが落下するタイミングは異なる。
【００２２】
図３ないし図５に示されるように、本実施例の第２回転体Ｋｂは、第１回転体Ｋａと同様に、制御モータ３７ｂにより、時計回りの方向に一定速度で回転されるだけでなく、横方向（遊技盤１の左右方向）に沿って往復スライドされる。即ち、第２回転体Ｋｂの下側円板体２８ｂから垂下された支点軸３４ｂは、ベース板２５を貫通して、該ベース板２５の裏面部に配置された支持板３９に装着された軸受３５ｂに支承されている。第２回転体Ｋｂを駆動回転させるための制御モータ３７ｂは、前記支持板３９に取付けられている。制御モータ３７ｂを作動させることにより、第２回転体Ｋｂは、時計回りの方向に一定速度で回転される。そして、前記支持板３９の側方の部分には、第２回転体Ｋｂをクランク機構によって往復スライドさせるための制御モータ４１が配設されていて、そのモータ軸にクランクアーム４２が装着されている。また、前記支持板３９の端部には、連結ブラケット４３が取付けられている。そして、前記クランクアーム４２と前記連結ブラケット４３に対して、回動可能にしてクランクロッド４４が取付けられている。前記制御モータ４１を作動させることにより、第２回転体Ｋｂが横方向に往復スライドされる。このとき、第２回転体Ｋｂを構成する下側円板体２８ｂと支持板３９は、ベース板２５により高さ方向に拘束されているため、スライドされる第２回転体Ｋｂが浮き上がるおそれはない。なお、図５において、４５は、ベース板２５に設けられた第２回転体Ｋｂの支点軸３４ｂの逃し溝である。
【００２３】
前記支持板３９における端部は、ほぼ直角にして上方に屈曲されていて、当該屈曲部に、第２回転体Ｋｂに落下した遊技球Ｂを保持するための落下防止板部４６が形成されていると共に、該落下防止板部４６に、球流下樋３３ｂが取付けられている。第２回転体Ｋｂが往復スライドされるとき、球流下樋３３ｂも一体に往復スライドされる。第２回転体Ｋｂが、第１回転体Ｋａに最も接近した場合であっても、前記球流下樋３３ｂの上流側の端部が、第３球誘導管部２４の直下に配置されるため、遊技球Ｂは、常に球流下樋３３ｂに流入される。第１回転体Ｋａに最も接近した状態の第２回転体Ｋｂを、図３において二点鎖線で示す。
【００２４】
次に、球振分装置Ａの作用について説明する。図６に示されるように、第１回転体Ｋａが回転し、球収容突起体Ｔａが球流下樋３３ａのほぼ直下に配置されたときに遊技球Ｂが球流下樋３３ａから落下されると、該遊技球Ｂは球収容領域Ｒabに収容され、第１回転体Ｋａの回転により下流側に搬送される。搬送中の遊技球Ｂは、各球収容突起体Ｔa,Ｔb 及びベース板２５のガイド壁２６によって保持され、前記球収容領域Ｒabから抜け落ちることはない。第１回転体Ｋａが球放出角度δａだけ回転し、球放出位置Ｐa'に配置されると、球収容領域Ｒabにおけるガイド壁２６の保持状態が消滅し、球収容領域Ｒabが開放される。球収容領域Ｒabに収容されていた遊技球Ｂは、第１回転体Ｋａのリング状部分３１ａに設けられた所定の傾斜角度θａの作用により、転動しながらベース板２５の上面（床面）に落下する。
【００２５】
このとき、第２回転体Ｋｂが、第１回転体Ｋａよりも離隔した位置に配置されている場合（球通路が広い場合）、ベース板２５に落下した遊技球Ｂは、そのまま転動し、一般入賞口１２に進入する（図７参照）。しかし、図６に示されるように、第２回転体Ｋｂが第１回転体Ｋａに最も接近した位置に配置されている場合（球通路が狭い場合）、ベース板２５に落下した遊技球Ｂは、第２回転体Ｋｂの下側円板体２８ｂに当たって落下経路を変更し、特定入賞口１１に誘導され易くなる。即ち、第２回転体Ｋｂが第１回転体Ｋａから離隔した状態で、第１回転体Ｋａの球収容領域Ｒab〜Ｒfaから放出された遊技球Ｂが、特定入賞口１１に誘導される球誘導確率は低く、第２回転体Ｋｂが第１回転体Ｋａに接近した状態で放出された遊技球Ｂが、特定入賞口１１に誘導される球誘導確率は高い。
【００２６】
また、図８に示されるように、第２回転体Ｋｂが第１回転体Ｋａに最も接近した状態で、第２回転体Ｋｂの各球収容領域Ｒgh〜Ｒjgに収容された遊技球Ｂが、ベース板２５の上面に放出されるとき、該遊技球Ｂは、第１回転体Ｋａに当ってその落下経路が変更され、特定入賞口１１に誘導され易くなる（球誘導確率が高い）。これに対して、図９に示されるように、第２回転体Ｋｂが第１回転体Ｋａから離隔した状態で遊技球Ｂが放出されると、該遊技球Ｂは、一般入賞口１２に誘導され易くなる（球誘導確率が低い）。
【００２７】
上記したように、本発明に係る球振分装置Ａでは、センター入賞装置Ｆに入った遊技球Ｂが、各回転体Ｋa,Ｋb におけるいずれの球収容領域Ｒab〜Ｒfa，Ｒgh〜Ｒjgに収容されて搬送されるときだけでなく、各回転体Ｋa,Ｋb から放出された後においても遊技者に異なる期待感を持たせることができるため、遊技に対する興趣が高められる。
【００２８】
本実施例の球振分装置Ａを構成する第１及び第２の各回転体Ｋa,Ｋb の回転、及び第２回転体Ｋｂのスライドは、いずれも制御モータ３７a,３７b,４１によって行われている。このため、各制御モータ３７a,３７b,４１の作動を制御することにより、各回転体Ｋa,Ｋb の回転周期と第２回転体Ｋｂのスライド周期とを同期させることができる。
【００２９】
同期について、簡単に説明する。第１回転体Ｋａの回転運動と第２回転体Ｋｂの往復スライド運動とが同期（両運動が一定の規則を有していること）する場合には、第１回転体Ｋａの周方向に沿ってどの球収容領域Ｒab〜Ｒfaに遊技球Ｂが誘導されて収容されるかによって、特定入賞口１１に対する球誘導確率が大きく変化する。図１０は、第１及び第２の各回転体Ｋa,Ｋb の球放出部の間隔Ｗ1,Ｗ2 の変化を示す図である。右側の曲線は、連続回転運動を行う第１回転体Ｋａの周方向に沿った特定の位置（Ｄa1）の時間に対する横方向の位置の変化を示し、左側の曲線は、連続回転運動をしながら往復スライド運動を行う第２回転体Ｋｂの球放出部Ｄｂ（第１回転体Ｋａの周方向における第２回転体Ｋｂとの間の間隔が最も短くて、第１回転体Ｋａと対向する部分）の時間に対する横方向の位置を示す。図１０に示す例は、「第１回転体Ｋａが１回転する時間（ｔａ）」と「第２回転体Ｋｂが１往復スライドする時間（ｔｂ）」とが等しいという同期の典型例を示す。
【００３０】
第１回転体Ｋａの周方向の特定位置（Ｄa1）は、自身が球放出部に達した状態で、第２回転体Ｋｂの球放出部との間隔が最も小さくなって（間隔Ｗ1 ）、第１回転体Ｋａの１回転毎（１周期毎）に、上記した状態が到来する。よって、第１回転体Ｋａの球放出部から放出される途中の遊技球Ｂは、第２回転体Ｋｂの周面に当たることによって、特定入賞口１１に最も入賞し易いように誘導される（特定入賞口１１に対する球誘導確率が最も高くなる）。このように、第１回転体Ｋａの周方向の特定位置（Ｄa1）は、特定入賞口１１に対する球誘導確率が最も高い状態が１回転毎に到来するので、特定位置（Ｄa1）が含まれる球収容領域Ｒab〜Ｒfaに遊技球Ｂが収容されることは、遊技者に利益な状態である。
【００３１】
一方、第１回転体Ｋａの周方向の特定位置（Ｄa1）に対して回転方向に沿って９０°だけ位相が遅れた特定位置（Ｄa2）の時間に対する横方向の位置は、図１０で一点鎖線で示されている。図１０から明白なように、第１回転体Ｋａの周方向の特定位置（Ｄa2）は、自身が球放出部に達した状態では、対向する第２回転体Ｋｂの球放出部との間隔（Ｗ2)は、前記間隔（Ｗ1)よりも遥かに広くなる。このことは、第１回転体Ｋａの前記特定位置（Ｄa2）から放出される遊技球Ｂは、放出後において第２回転体Ｋｂの周面に当たって所定の方向に誘導されることはあるが、特定入賞口１１に対する球誘導確率は、特定位置（Ｄa1）の場合よりも低いことを意味し、一般的には特定位置（Ｄa1）から周方向に沿って離れるに従って、特定入賞口１１に対する球誘導確率が低くなる。上記同期運動によって、第１回転体Ｋａの周方向に沿って複数に分割された各球収容領域Ｒab〜Ｒfaに収容された遊技球Ｂが球放出部において放出された後の特定入賞口１１に対する球誘導確率は、それぞれ異なる。よって、遊技者は、第１回転体Ｋａの周方向のどの球収容領域Ｒab〜Ｒfaに遊技球Ｂが収容されたかによって、特定入賞口１１に対する球誘導確率を予め把握して遊技できる。
【００３２】
第１回転体Ｋａの回転と第２回転体Ｋｂのスライドとが同期していない場合でも、第１回転体Ｋａの周方向の特定位置と、第２回転体Ｋｂの球放出部とが最も狭くなることがあるが、同期する場合に比較して、最も狭くなる頻度が著しく低くなる。なお、上記同期においては、第２回転体Ｋｂの回転自体（具体的には、回転数）は、上記同期とは無関係である。
【００３３】
「同期」とは、２種類の異なる運動が一定の規則を有して運動することであるので、第１回転体Ｋａが１回転する間に第２回転体Ｋｂが２往復スライドしたりする形態の同期もあり得る。そして、一般的には、第１回転体Ｋａの１回転に要する時間と、第２回転体Ｋｂの１往復スライドに要する時間の比が整数の関係にあれば両回転体Ｋa,Ｋb の各運動は、同期していると言える。また、正確には同期ではないが、第２回転体Ｋｂに関しても、１回転に要する時間と、１往復スライドに要する時間との比又は逆比が整数の関係にあれば、上記と同様のことが言える。
【００３４】
次に、本実施例の第１及び第２の各回転体Ｋa,Ｋb における具体的な同期の形態について説明する。最初に、第１回転体Ｋａの回転周期と第２回転体Ｋｂのスライド周期とを同期させた場合について説明する。図４に示されるように、第１及び第２の各回転体Ｋa,Ｋb における各球収容突起体Ｔａ〜Ｔｆ，Ｔｇ〜Ｔｊが、対応する各球流下樋３３a,３３b の近傍で横方向にほぼ沿って配置された位置を回転の原点位置Ｐa,Ｐb とし、各回転体Ｋa,Ｋb において、原点位置Ｐa,Ｐb から球放出角度δa,δb だけ回転して球放出位置Ｐa', Ｐb'に配置されたときに、球収容領域Ｒab〜Ｒfa，Ｒgh〜Ｒjgに収容された遊技球Ｂが放出されるものとする。
【００３５】
図６に示されるように、第１回転体Ｋａの１回転周期（第１回転体Ｋａが１回転するのに要する時間）と、第２回転体Ｋｂの１往復スライド周期（第２回転体Ｋｂが１往復するのに要する時間）とを同一とし、かつ、各球収容突起体Ｔa,Ｔc,Ｔe が球放出位置Ｐa'に配置されたときに、第２回転体Ｋｂを第１回転体Ｋａに最も接近させるように同期させる形態である。この場合、第１回転体Ｋａが１回転する間に、第２回転体Ｋｂは１往復すると共に、第２回転体Ｋｂが第１回転体Ｋａに最も接近したときに第１回転体Ｋａの球収容突起体Ｔａが球放出位置Ｐa'に配置される。そして、図７に示されるように、第１回転体Ｋａの他の各球収容突起体Ｔｂ〜Ｔｆが球収容位置Ｐa'に配置されたとき、第２回転体Ｋｂは、第１回転体Ｋａから離隔途中である。この同期形態の場合、第１回転体Ｋａの球収容領域Ｒabに収容された遊技球Ｂのみが、特定入賞口１１に誘導され易くなり（球誘導確率が高くなる）、それ以外の各球収容領域Ｒbc，Ｒcd，Ｒde，Ｒef，Ｒfaに収容された遊技球Ｂが、一般入賞口１２に誘導され易くなる（球誘導確率が低くなる）。
【００３６】
別の同期形態は、第１回転体Ｋａの（１／３）回転周期［第１回転体Ｋａが（１／３）回転するのに要する時間］と、第２回転体Ｋｂの１往復スライド周期（第２回転体Ｋｂが１往復するのに要する時間）とを同一とし、かつ、各球収容突起体Ｔa,Ｔc,Ｔe が球放出位置Ｐa'に配置されたときに、第２回転体Ｋｂを第１回転体Ｋａに最も接近させるように同期させる形態である。この場合、第１回転体Ｋａが（１／３）回転する間に、第２回転体Ｋｂは１往復すると共に、第２回転体Ｋｂが第１回転体Ｋａに最も接近したときに第１回転体Ｋａの各球収容突起体Ｔa,Ｔc,Ｔe が球放出位置Ｐa'に配置される。この同期形態の場合、第１回転体Ｋａの３つの球収容領域Ｒab，Ｒcd，Ｒefに収容された遊技球Ｂが、特定入賞口１１に誘導され易くなり（球誘導確率が高くなる）、それ以外の各球収容領域Ｒbc，Ｒde，Ｒfaに収容された遊技球Ｂは、一般入賞口１２に誘導され易くなる（球誘導確率が低くなる）。
【００３７】
更に、第１回転体Ｋａの（２／３）回転周期と、第２回転体Ｋｂの１往復スライド周期とを同一とし、かつ、各球収容突起体Ｔa,Ｔc,Ｔe のいずれかが球放出位置Ｐa'に配置されたときに、第２回転体Ｋｂを第１回転体Ｋａに最も接近させるように同期させてもよい。この同期形態の場合、第１回転体Ｋａの各球収容領域Ｒab，Ｒcd，Ｒefに収容された遊技球Ｂが、交互に特定入賞口１１に誘導され易くなる（球誘導確率が高くなる）。例えば、第１回転体Ｋａの最初の１回転時には、各球収容領域Ｒab，Ｒefに収容された遊技球Ｂが特定入賞口１１に誘導され易くなり、次の１回転時には、各球収容領域Ｒcd，Ｒabに収容された遊技球Ｂが特定入賞口１１に誘導され易くなる。
【００３８】
次に、第２回転体Ｋｂの回転周期とスライド周期とを同期させた場合について説明する。このとき、第１回転体Ｋａの回転自体は無関係である。第２回転体Ｋｂのいずれかの球収容領域Ｒgh〜Ｒjgに収容された遊技球Ｂが、特定入賞口１１に誘導され易くなるためには、第２回転体Ｋｂが第１回転体Ｋａに最も接近したときに、第２回転体Ｋｂの各球収容突起体Ｔｇ〜Ｔｊが、球放出位置Ｐb'に配置されている必要がある。例えば、図８に示されるように、第２回転体Ｋｂの１回転周期と第２回転体Ｋｂの１往復周期とを同一とし、かつ、第２回転体Ｋｂが第１回転体Ｋａに最も接近した状態で第２回転体Ｋｂの球収容突起体Ｔｇが球放出位置Ｐb'に配置されるように同期させた場合、第２回転体Ｋｂの球収容領域Ｒghに収容された遊技球Ｂのみが、特定入賞口１１に誘導され易くなる（球誘導確率が高くなる）。
【００３９】
また、第２回転体Ｋｂの（１／２）回転周期と第２回転体Ｋｂの１往復周期とを同一とし、かつ、第２回転体Ｋｂが第１回転体Ｋａに最も接近した状態で第２回転体Ｋｂの各球収容突起体Ｔg,Ｔi が球放出位置Ｐb'に配置されるように同期させた場合、第２回転体Ｋｂの各球収容領域Ｒgh，Ｒijに収容された遊技球Ｂが、特定入賞口１１に誘導され易くなる（球誘導確率が高くなる）。更に、第２回転体Ｋｂの（１／４）回転周期と第２回転体Ｋｂの１往復周期とを同一とし、かつ、第２回転体Ｋｂが第１回転体Ｋａに最も接近した状態で第２回転体Ｋｂの全ての球収容突起体Ｔｇ〜Ｔｉが球放出位置Ｐb'に配置されるように同期させた場合、第２回転体Ｋｂの全ての球収容領域Ｒgh〜Ｒjgに収容された遊技球Ｂが、特定入賞口１１に誘導され易くなる（球誘導確率が高くなる）。
【００４０】
そして、図１１に示されるように、上記した各同期形態において、第２回転体Ｋｂが第１回転体Ｋａに最も接近した状態で第２回転体Ｋｂの各球収容突起体Ｔｇ〜Ｔｉが球放出位置Ｐb'から、一定角度だけずれた位置Ｐb"に配置されるように同期させることも想定される。この同期形態の場合、第２回転体Ｋｂが第１回転体Ｋａに最も接近した状態で遊技球Ｂが放出されることは極めて少なくなり、第２回転体Ｋｂのいずれかの球収容領域Ｒgh〜Ｒjgに収容された遊技球Ｂが、特定入賞口１１に誘導される確率は極めて低くなる。
【００４１】
本実施例の球振分装置Ａの場合、第１及び第２の各回転体Ｋa,Ｋb を構成する各下側円板体２８a,２８b の高さＨa,Ｈb と傾斜角度θa,θb が異なっている。このため、近接状態に配置された各回転体Ｋa,Ｋb の球収容領域Ｒab〜Ｒfa，Ｒgh〜Ｒjgから、ほぼ同時に遊技球Ｂが放出された場合であっても、２つの遊技球Ｂが落下するタイミングにずれが生じ、球噛みを生ずるおそれが少ない。
【００４２】
本実施例の球振分装置Ａでは、第１及び第２の各回転体Ｋa,Ｋb におけるいずれかの各球収容領域Ｒab〜Ｒfa，Ｒgh〜Ｒjgに収容されて搬送された遊技球Ｂが放出されるとき、各回転体Ｋa,Ｋb どうしの相対距離によって遊技球Ｂが特定入賞口１１に誘導される球誘導確率を異ならしめている。換言すれば、一対の回転体Ｋa,Ｋb が遊技球Ｂを搬送する機能と、該遊技球Ｂを特定入賞口１１に誘導する機能との両方を兼用した構成である。そして、本明細書に記載した実施例の球振分装置Ａでは、第２回転体Ｋｂのみが往復スライド運動を行うことにより、各回転体Ｋa,Ｋb を相対的に接近・離隔させる構成である。これにより、構成が簡単になるという利点がある。しかし、上記と逆の構成（第１回転体Ｋａのみが往復スライド運動を行う）、或いは、両回転体Ｋa,Ｋb を相対的に接近・離隔させる構成としても構わない。
【００４３】
本実施例の球搬送部材は、いずれも円板状の回転体Ｋa,Ｋb である。しかし、これ以外の構成のもの、例えば、ベルトコンベア状の球搬送部材のように、球搬送部材自体が回転しないもので、少なくとも一方が相対的に接近・離隔する構成であっても構わない。
【図面の簡単な説明】
【００４４】
【図１】本発明に係るセンター入賞装置Ｆを備えた第２種パチンコ機の遊技盤１の部分の正面図である。
【図２】図１のＸ−Ｘ線断面図である。
【図３】球振分装置Ａの斜視図である。
【図４】同じく平面図である。
【図５】図４のＹ−Ｙ線断面図である。
【図６】第１回転体Ｋａの球収容領域Ｒabから放出された遊技球Ｂが、第２回転体Ｋｂに当たって特定入賞口１１に誘導される状態の作用説明図である。
【図７】第１回転体Ｋａの球収容領域Ｒbcから放出された遊技球Ｂが、一般入賞口１２に誘導される状態の作用説明図である。
【図８】第１回転体Ｋａに最も接近した第２回転体Ｋｂの球収容領域Ｒghから放出された遊技球Ｂが、第１回転体Ｋａに当たって特定入賞口１１に誘導される状態の作用説明図である。
【図９】第１回転体Ｋａから最も離隔した第２回転体Ｋｂの球収容領域Ｒijから放出された遊技球Ｂが、一般入賞口１２に誘導される状態の作用説明図である。
【図１０】一対の回転体Ｋa,Ｋb の球放出部の間隔Ｗ1,Ｗ2 の変化を示す図である。
【図１１】第２回転体Ｋｂが第１回転体Ｋａに最も接近したときに、第２回転体Ｋｂの球収容領域Ｒghに収容された遊技球Ｂが放出されない状態の作用説明図である。
【符号の説明】
【００４５】
Ａ：球振分装置
Ｂ：遊技球
Ｆ：センター入賞装置（入賞装置）
Ｗ1,Ｗ2 ：間隔（相対距離）
５：球入口
１１：特定入賞口（特定球通過領域）
１２：一般入賞口（一般球通過領域）
【図１】
2006014911.tif 000003
【図２】
2006014911.tif 000004
【図３】
2006014911.tif 000005
【図４】
2006014911.tif 000006
【図５】
2006014911.tif 000007
【図６】
2006014911.tif 000008
【図７】
2006014911.tif 000009
【図８】
2006014911.tif 000010
【図９】
2006014911.tif 000011
【図１０】
2006014911.tif 000012
【図１１】
2006014911.tif 000013